(57)【要約】【課題】画素領域内での液状組成物の流動を制御することにより、有機機能層の平坦性を向上することのできる有機ＥＬ装置およびその製造方法を提供すること。【解決手段】隔壁５で囲まれた画素領域１００に液状組成物を配置、乾燥させて、有機ＥＬ素子２の正孔注入輸送層２１を形成するにあたって、画素領域１００の中央領域１００ａと両端部１００ｅ、１００ｆとの間には、中央領域１００ａと両端部１００ｅ、１００ｆとの間での液状組成物の無駄な流動を抑制する複数の板状突起８１が形成されている。このため、正孔注入輸送層２１および発光層２２を平坦に形成することができる。【選択図】図２
2008243649.tif 000002
【特許請求の範囲】
【請求項１】
隔壁で囲まれた画素領域内に第１の電極層、少なくとも発光層を備えた有機機能層、および第２の電極層が順に積層された有機エレクトロルミネッセンス素子を備えた有機エレクトロルミネッセンス装置において、
前記画素領域内における中央領域と端部との間には、液状物の流動を抑制可能な凹凸が形成されていることを特徴とする有機エレクトロルミネッセンス装置。
【請求項２】
前記凹凸は、前記画素領域の底部側から起立した突起からなることを特徴とする請求項１に記載の有機エレクトロルミネッセンス装置。
【請求項３】
前記突起は、前記隔壁と同一の樹脂材料からなることを特徴とする請求項２に記載の有機エレクトロルミネッセンス装置。
【請求項４】
前記突起は、柱状突起からなることを特徴とする請求項２または３に記載の有機エレクトロルミネッセンス装置。
【請求項５】
前記突起は、板状突起からなることを特徴とする請求項２または３に記載の有機エレクトロルミネッセンス装置。
【請求項６】
前記板状突起は、前記画素領域内における中央領域から端部に向けて屈曲あるいは湾曲しながら延びていることを特徴とする請求項５に記載の有機エレクトロルミネッセンス装置。
【請求項７】
前記有機機能層は、前記画素領域に配置された液状組成物を固化させてなることを特徴とする請求項１乃至６の何れか一項に記載の有機エレクトロルミネッセンス装置。
【請求項８】
請求項１乃至６の何れか一項に記載の有機エレクトロルミネッセンス装置の製造方法において、
前記画素電極、前記隔壁および前記凹凸を形成した後、前記有機機能層および前記陰極を形成する前に、
前記隔壁で囲まれた画素領域に液状組成物を配置した後、固化させる工程を行って前記有機機能層を形成することを特徴とする有機エレクトロルミネッセンス装置の製造方法。
【発明の詳細な説明】
【技術分野】
【０００１】
本発明は、隔壁で囲まれた領域内に液状組成物を固化させてなる有機機能層を備えた有機エレクトロルミネッセンス装置（以下、「エレクトロルミネッセンス」を「ＥＬ」という）、およびその製造方法に関するものである。
【背景技術】
【０００２】
近年、有機蛍光材料等の発光材料を液状組成物とし、この液状組成物を基材上にインクジェット法により吐出した後、固化させて、発光層を含む有機機能層を形成した有機ＥＬ装置の開発が行われており、かかる有機ＥＬ装置は、例えば、複写機などの画像形成装置のラインヘッドや、表示装置などといった有機ＥＬ装置として用いられる。また、液状組成物を吐出する際、所定領域から液状組成物がはみ出ないように、有機機能層の形成領域の周りをバンクと称せられる隔壁で囲んだ構成が提案されている。
【０００３】
しかしながら、隔壁に囲まれた領域内に液状組成物を吐出した後、固化させる過程で、有機機能層に、図６（ａ）、（ｂ）に示すような膜厚むらが発生することがある。図６（ａ）に示す膜厚むらは、塗布した液状組成物が収縮して中央に偏った状態の膜厚むらであり、図６（ｂ）に示す膜厚むらは、塗布した液状組成物の周縁部で分厚く、中央側で薄くなった状態の膜厚むらである。
【０００４】
このような膜厚むらのうち、図６（ａ）に示す膜厚むらは、液状組成物に用いた溶媒が低沸点の場合に以下の理由から発生するものと考えられる、液状組成物に用いた溶媒が低沸点の場合、溶媒の乾燥速度が速いことから、液状物の周縁部では、基板側からの熱供給をうけるのに対して、頂上部では熱が伝わらないうちに蒸発が進行するので、周縁部より頂上部の方が低温になる。従って、温度が低い頂上部では表面張力が大きく、温度が高い周縁部では表面張力は小さくなる。その結果、矢印Ｌ１で示すように、表面張力が小さい周縁部から表面張力が大きい頂上部に向かって液状組成物が引っ張られる結果、液状組成物が中央に偏った状態で固化すると考えられる。
【０００５】
これに対して、図６（ｂ）に示す膜厚むらは、液状組成物に用いた溶媒が高沸点の場合、溶媒の乾燥速度が遅いことから、頂上部も基板から熱が伝った状態で蒸発が進行する。ここで、液状物の乾燥は、頂上部に比して周縁部で速いので、気化熱の影響で、周縁部の方が頂上部より低温になる。従って、温度が低い周縁部では表面張力が大きく、温度が高い頂上部では表面張力は小さくなって、矢印Ｌ２で示すように、表面張力が小さい頂上部から表面張力が大きい周縁部に向かって液状組成物が引っ張られる結果、液状組成物が外周側に偏った状態で固化すると考えられる。
【０００６】
そこで、液状組成物を吐出した後、局部的に加熱することにより、膜厚ばらつきの発生を防止する技術が提案されている（例えば、特許文献１参照）。
【特許文献１】特開２００５−１４４３２４号公報
【発明の開示】
【発明が解決しようとする課題】
【０００７】
しかしながら、特許文献１に開示の技術では、基板側に熱を加える機構や、サブミリオーダーで局所的に加熱する等、技術的に困難な課題が多く、量産には到っていない。
【０００８】
以上問題点に鑑みて、本発明の課題は、画素領域内での液状組成物の流動を制御することにより、有機機能層の平坦性を向上することのできる有機ＥＬ装置およびその製造方法を提供することにある。
【課題を解決するための手段】
【０００９】
上記課題を解決するために、本発明では、隔壁で囲まれた画素領域内に第１の電極層、少なくとも発光層を備えた有機機能層、および第２の電極層が順に積層された有機ＥＬ素子を備えた有機ＥＬ装置において、前記画素領域内における中央領域と端部との間には、液状物の流動を抑制可能な凹凸が形成されていることを特徴とする。
【００１０】
本発明においては、前記画素領域に液状組成物を配置させた後、液状組成物から溶媒（分散媒も含む）を蒸発させて有機機能層を形成する。その際、液状組成物では、溶媒が蒸発する際の気化熱に起因する温度差などの影響を受けて液状組成物が移動し、画素領域内における中央領域と端部との間で有機機能層の膜厚ばらつきを発生させようとするが、本発明では、画素領域内における中央領域と端部との間に、液状物の流動を抑制可能な凹凸が形成されているため、液状組成物の無駄な移動が発生しない。それ故、隔壁で囲まれた領域内に有機機能層を平坦に形成することができるので、有機ＥＬ素子の発光特性および信頼性を向上することができる。
【００１１】
本発明において、前記凹凸は、例えば、前記画素領域の底部側から起立した突起からなる。このような突起は、前記隔壁と同一の樹脂材料から構成することができ、その場合には、突起を形成するために新たな工程を追加する必要がない。
【００１２】
本発明において、前記突起は、例えば、柱状突起として形成することができる。
【００１３】
また、前記突起は、板状突起として形成することができる。ここで、前記板状突起は、前記画素領域内における中央領域から端部に向けて屈曲あるいは湾曲しながら延びている構成を採用することができる。このように構成すると、形成可能な板状突起の数が限られている場合でも、画素領域内における中央領域と端部との間での液状物の流動を好適に制御することができる。
【００１４】
本発明において、前記有機機能層は、前記画素領域に配置された液状組成物を固化させてなる。すなわち、本発明を適用した有機ＥＬ装置の製造方法では、少なくとも前記画素電極、前記隔壁および前記凹凸を形成した後、前記有機機能層および前記陰極を形成する前に、前記隔壁で囲まれた画素領域に液状組成物を配置した後、固化させる工程を行って前記有機機能層を形成することを特徴とする。
【００１５】
本発明に係る有機ＥＬ装置は、複写機などの画像形成装置のラインヘッドや、表示装置などといった電子機器に用いられる。
【発明を実施するための最良の形態】
【００１６】
以下、本発明の実施形態を図面を参照して説明する。なお、以下の説明に用いる各図においては、各部材を図面上で認識可能な程度の大きさとするため、各層や各部材に縮尺は実際のものとは異なるように表している。
【００１７】
［全体構成］
（電気的構成）
図１は、本発明が適用される有機ＥＬ装置の一例としてのアクティブマトリクス型の有機ＥＬ表示装置の電気的構成を示すブロック図である。図１に示す有機ＥＬ装置１は、複数の走査線１０１と、走査線１０１に対して交差する方向に延びる複数の信号線１０２と、信号線１０２に並列に延びる複数の電源線１０３とがそれぞれ配線された構成を有するとともに、走査線１０１および信号線１０２の各交点付近に、後述する画素領域１００が設けられている。信号線１０２には、シフトレジスタ、レベルシフタ、ビデオラインおよびアナログスイッチを備えるデータ側駆動回路１０４が接続され、走査線１０１には、シフトレジスタおよびレベルシフタを備える走査側駆動回路１０５が接続されている。画素領域１００の各々には、走査線１０１を介して走査信号がゲート電極に供給されるスイッチング用の薄膜トランジスタ１１２と、このスイッチング用の薄膜トランジスタ１１２を介して信号線１０２から供給される画素信号を保持する保持容量１３０と、保持容量１３０によって保持された画素信号がゲート電極に供給される駆動用の薄膜トランジスタ１２３と、この駆動用薄膜トランジスタ１２３を介して電源線１０３に電気的に接続したときに当該電源線１０３から駆動電流が流れ込む画素電極１１（陽極層／第１の電極層）と、この画素電極１１と陰極層１２（第２の電極層）との間に挟まれた有機機能層２０とが設けられている。ここで、画素電極１１、有機機能層２０および陰極層１２は、有機ＥＬ素子２を構成している。
【００１８】
かかる構成によれば、走査線１０１が駆動されてスイッチング用の薄膜トランジスタ１１２がオンになると、そのときの信号線１０２の電位が保持容量１３０に保持され、該保持容量１３０に状態に応じて、駆動用の薄膜トランジスタ１２３のオン・オフ状態が決まる。そして、駆動用の薄膜トランジスタ１２３のチャネルを介して、電源線１０３から画素電極１１に電流が流れ、さらに有機機能層２０を介して陰極層１２に電流が流れる。その結果、有機ＥＬ素子２は、これを流れる電流量に応じて発光する。
【００１９】
（各画素領域の構成）
図２（ａ）、（ｂ）、（ｃ）は各々、本発明が適用される有機ＥＬ装置の画素１つ分の平面図、図２（ａ）のＡ１−Ａ１′線に沿って画素領域を切断した様子を模式的に示す断面図、および図２（ａ）のＢ１−Ｂ１′線に沿って画素領域を切断した様子を模式的に示す断面図である。有機ＥＬ装置の回路部等の構造は周知であるため、その詳細説明は省略する。図２（ａ）、（ｂ）、（ｃ）に示すように、本形態の有機ＥＬ装置１の断面構造は概ね、基板１０の表面側に、図１を参照して説明した配線や薄膜トランジスタが層間絶縁膜を介して形成された回路部３が形成されている。また、最上層の層間絶縁膜３０上には、ＩＴＯ等からなる透明な画素電極１１が所定形状にパターニング形成され、画素電極１１は、薄膜トランジスタ１２３に電気的に接続されている。
【００２０】
画素電極１１が形成されている領域は、画素領域１００になっており、本形態では、長方形の平面形状を備えている。画素領域１００において、画素電極１１の上層には、シリコン酸化膜などからなる絶縁層６が形成されている。絶縁層６には、画素領域１００の中央領域１００ｄにおいて長手方向に沿って複数の開口部６１が２列に形成されており、開口部６１では、画素電極１１の表面が露出している。かかる開口部６１が形成されている中央領域１００ｄが有効画素領域である。
【００２１】
また、絶縁層６の上層には、画素領域１００の周りを囲むように、例えば高さが０．１〜３．５μｍのアクリル樹脂やポリイミド樹脂等からなる隔壁５が形成されており、隔壁５で囲まれた領域内には、第１の絶縁層６の上層側に有機機能層２０が積層されている。有機機能層２０の上層には、陰極層１２が形成されており、画素電極１１、有機機能層２０および陰極層１２によって有機ＥＬ素子２が構成されている。
【００２２】
有機機能層２０は、例えば、画素電極１１上に積層された正孔注入輸送層２１と、正孔注入輸送層２１上に積層された発光層２２とを備えている。なお、発光層２２に隣接してその他の機能を有する他の有機機能層、例えば、インターレイアー層や電子輸送層を形成することもある。正孔注入輸送層２１は、正孔を発光層２２に注入する機能を有するとともに、正孔を輸送する機能を有する。発光層２２では、正孔注入輸送層２１から注入された正孔と、陰極層１２から注入される電子が発光層で再結合し、発光が行われる。ここで、発光層２２は、全ての画素領域１００において白色光を出射する構成、あるいは、複数の画素領域１００が対応する色毎に赤色（Ｒ）に発光する赤色発光層、緑色（Ｇ）に発光する緑色発光層、および青色（Ｂ）に発光する青色発光層として形成されることもある。
【００２３】
正孔注入輸送層２１は、後述するように、正孔注入輸送層形成材料および溶媒（分散媒を含む）液状組成物を隔壁５の内側に吐出してから溶媒を除去して形成されたものである。発光層２２も、発光層形成材料および溶媒（分散媒を含む）を含む液状組成物を隔壁５の内側に吐出してから溶媒を除去して形成されたものである。このようにして、正孔注入輸送層２１および発光層２２を形成する際、隔壁５は、液状組成物が外にはみ出ることを防止する機能を担っている。このため、隔壁５に対しては、ＣＦ4ガスを用いてのプラズマ処理を行い、隔壁５の撥水性を高めることもある。
【００２４】
陰極層１２は、基板２０の略全面に形成されており、画素電極１１と対になって有機機能層２０に電流を流す役割を果たす。陰極層１２は、例えば、カルシウム層とアルミニウム層とが積層されて構成されている。このとき、発光層に近い側の陰極には仕事関数が低いものを設けることが好ましい。本形態においては、陰極層１２が発光層２２に直接に接して発光層２２に電子を注入する役割を果たしているが、発光層２２の材料によっては発光効率を高めることを目的に、発光層２２と陰極層１２との間にＬｉＦなどの電子注入層を形成する場合もある。なお、陰極層１２の表面側には、封止樹脂、封止基板、封止缶などにより封止部が構成されるが、本発明と直接的な関係がないので、その図示を省略してある。
【００２５】
本形態の有機ＥＬ装置１は、例えば、基板１０の側から光を出射するボトムエミッション型であり、陰極層１２はＡｌ（アルミニウム）などの反射材料から構成されている。従って、有機機能層２０から基板１０側に発した光は、回路部３および基板１０を透過して基板１０の下側（観測者側）に出射されるとともに、有機機能層２０から基板１０の反対側に発した光は、陰極層１２により反射されて回路部３および基板１０を透過して基板１０の下側（観測者側）に出射されるようになっている。なお、陰極層１２として、ＩＴＯ、Ｐｔ、Ｉｒ、Ｎｉ、Ｐｄなどの透明な材料を用い、かつ、画素電極１１の下層側に反射層を形成すれば、陰極層１２側から光を出射させるトップエミッション型として構成することができる。
【００２６】
（各画素領域の詳細構成）
本形態の有機ＥＬ装置１において、有機機能層２０は、後述するように、隔壁５で囲まれた領域内に液状組成物を配置した後、それを固化することによって形成される。その際、図６（ａ）、（ｂ）を参照して説明したように、液状組成物の無駄な流動によって、正孔注入輸送層２１に膜厚ばらつきが発生することがある。そこで、本形態では、画素領域１００内における中央領域１００ａと、画素領域１００の長手方向における両端部１００ｅ、１００ｆとの間には、液状組成物の流動を抑制可能な凹凸として、複数の突起８が形成されている。
【００２７】
本形態において、突起８は、画素領域１００内における中央領域１００ａから長手方向の両端部１００ｅ、１００ｆに向けて延びた複数の板状突起８１として形成されている。複数の板状突起８１は、板状突起８１同士の間、および隔壁５との間に所定の隙間を有しており。液状物の流動が可能であるとともに、途中に複数の屈曲部８１ａを備えており、液状組成物の流動を抑制することもできる。
【００２８】
ここで、板状突起８１は、アクリル樹脂やポリイミド樹脂等、隔壁５と同一の樹脂材料で構成されている。本形態において、板状突起８１と隔壁５と同時形成されたものである。このため、板状突起８１は、隔壁５と同様、高さが０．１〜３．５μｍ程度である。
【００２９】
（液滴吐出ヘッドの構成）
図３（ａ）、（ｂ）、（ｃ）は各々、本形態の有機ＥＬ装置１を製造する際に使用される液滴吐出ヘッドの内部構造を模式的に示す説明図、撓み振動モードの圧力発生素子の説明図、および縦振動モードの圧力発生素子の説明図である。
【００３０】
本形態の有機ＥＬ装置１を製造するにあたっては、液滴吐出法を用いて正孔注入輸送層２１および発光層２２を形成する。その際には、図３（ａ）、（ｂ）、（ｃ）を参照して説明する液滴吐出ヘッドが用いられる。図３（ａ）に示すように、液滴吐出ヘッド３２２は、液滴として吐出する液状組成物Ｍを貯留しておくタンク状、カートリッジ状などの液状組成物貯留部３３７に接続されている。また、液滴吐出ヘッド３２２は、多数のノズル開口３２７を列状に並べることによって形成されたノズル列を備えている。このような液滴吐出ヘッド３２２において、そのノズル列が主走査方向と交差する副走査方向へ延びており、液滴吐出ヘッド３２２が主走査方向に移動する間に、液状組成物Ｍを複数のノズル開口３２７から選択的に吐出することにより、基板１０上の所定位置に液滴Ｍ０を着弾させる。また、液滴吐出ヘッド３２２は副走査方向へ所定距離だけ平行移動することにより、液滴吐出ヘッド３２２による主走査位置を所定の間隔でずらせることができる。
【００３１】
図３（ａ）、（ｂ）に示すように、液滴吐出ヘッド３２２は、例えば、ステンレス製のノズルプレート２９と、それに対向する弾性板３３１と、それらを互いに接合する複数の仕切部材３３２とを有している。ノズルプレート３２９と弾性板３３１との間には、仕切部材３３２によって複数の圧力発生室３３３および液溜り３３４が形成され、複数の圧力発生室３３３と液溜り３３４とは液状組成物流入口３３８を介して互いに連通している。弾性板３３１の適所には液状組成物供給穴３３６が形成され、この液状組成物供給穴３３６に液状組成物貯留部３３７が接続される。従って、液状組成物貯留部３３７は吐出されることとなる液状組成物Ｍを液状組成物供給穴３３６へ供給する。供給された液状組成物Ｍは液溜り３３４に充満し、さらに液状組成物流入口３３８を通って圧力発生室３３３に充満する。このようにして、液状組成物貯留部３３７と各圧力発生室３３３とが連通している。
【００３２】
ノズルプレート３２９には、圧力発生室３３３から液状組成物Ｍを液滴Ｍ０として噴射するためのノズル開口３２７が設けられており、そのノズル開口３２７が開口しているノズル形成面は平坦面とされている。このようにしてノズル開口３２７は、圧力発生室３３３で開口している。弾性板３３１の圧力発生室３３３を形成する面の裏面には、この圧力発生室３３３に対応させて圧力発生素子３３９が取り付けられている。この圧力発生素子３３９は、例えば、図３（ｂ）に示すように、圧電素子３４１、およびこの圧電素子３４１を挟持する一対の電極３４２ａ、３４２ｂを備えたたわみ振動モードの圧電素子である。その振動方向を矢印Ｃで示す。なお、図３（ｃ）に示すように、圧力発生素子３３９としては、縦振動モードの圧電素子を用いてもよい。この縦振動モードの圧電素子（圧力発生素子３３９）では、伸長方向に平行に圧電材料と導電材料を交互に積層して構成されており、その先端は弾性板３３１に固定され、他端は基台３２０に固定されている。このような圧力発生素子３３９では、充電状態では導電層の積層方向と直角な方向に収縮し、また充電状態が解かれると、導電層と直角な方向に伸長する。
【００３３】
いずれの圧電素子を用いた場合も、電極間に印加される駆動信号によって変形し、圧力発生室３３３を膨張、収縮させる。なお、ノズル開口３２７の周辺部には、液滴Ｍ０の飛行曲がりやノズル開口２３７の穴詰まりなどを防止するために、例えばＮｉ−テトラフルオロエチレン共析メッキ層からなる撥液層３４３が設けられる。
【００３４】
（有機ＥＬ装置１の製造方法）
図２〜図４を参照して本形態の有機ＥＬ装置１の製造方法を説明する。図４（ａ）、（ｂ）、（ｃ）は各々、本発明の実施の形態１に係る有機ＥＬ装置において、有機機能層２０を形成する前の状態におけるの画素１つ分の平面図、図４（ａ）のＡ２−Ａ２′線に沿って画素を切断した様子を模式的に示す断面図、および図４（ａ）のＢ２−Ｂ２′線に沿って画素を切断した様子を模式的に示す断面図である。
【００３５】
本形態の有機ＥＬ装置１を製造するにあたっては、まず、図４（ａ）に示すように、各種半導体プロセスなどを用いて回路部３を形成する。次に、層間絶縁膜３０の上にＩＴＯ膜を形成した後、フォトリソグラフィ技術を用いて、ＩＴＯ膜をパターニングし、画素電極１１を形成する。
【００３６】
次に、画素電極１１の上層に絶縁膜を形成した後、フォトリソグラフィ技術を用いて、絶縁膜をパターニングし、開口部６１を備えた絶縁層６を形成する。
【００３７】
次に、基板１０の全面に、アクリル樹脂やポリイミド樹脂などの樹脂層をスピンコート法などで塗布した後、露光、現像し、隔壁５および板状突起８１を同時形成する。この状態で、画素領域１００は、隔壁５で囲まれた凹部１００ａになっており、画素領域１００内では、中央領域１００ａと長手方向の両端部１００ｅ、１００ｆとの間に複数の板状突起８１が形成された状態にある。
【００３８】
次に、正孔注入輸送層形成液塗布工程では、図３を参照して説明した液滴吐出ヘッド３２２から正孔注入輸送層形成材料を含む液状組成物２１ａを凹部１００ａ内に吐出する。このようにして吐出された液状組成物２１ａは、凹部１００ａ内に着弾し、凹部１００ａの内部で両端部１００ｅ、１００ｆにも広がる。ここで、液状組成物２１ａとしては、ポリオレフィン誘導体である３、４−ポリエチレンジオシチオフェン／ポリスチレンスルホン酸（ＰＥＤＯＴ／ＰＳＳ）や、ポリマー前駆体がポリテトラヒドロチオフェニルフェニレンであるポリフェニレンビニレン、１、１−ビス−（４−Ｎ、Ｎ−ジトリルアミノフェニル）シクロヘキサン等の正孔注入輸送層形成材料を極性溶媒に溶解させた組成物を用いることができる。極性溶媒としては、例えば、イソプロピルアルコール、ノルマルブタノール、γ−ブチロラクトン、Ｎ−メチルピロリドン、１、３−ジメチル−２−イミダゾリジノンおよびその誘導体、カルビト−ルアセテート、ブチルカルビト−ルアセテート等のグリコールエーテル類等を挙げることができる。
【００３９】
次に、正孔注入輸送層定着工程を行う。それには、吐出後の液状組成物を加熱、乾燥処理し、液状組成物２１ａに含まれる極性溶媒を蒸発させ、正孔注入輸送層２１を定着させる。なお、上記の定着処理は、例えば窒素雰囲気中、室温で圧力を例えば１３３．３Ｐａ（１Ｔｏｒｒ）程度にして行う。圧力が低すぎると液状組成物２１ａが突沸してしまうので好ましくない。また、温度を室温以上にすると、極性溶媒の蒸発速度が高まり、平坦な膜を形成する事ができない。乾燥処理後は、窒素中、好ましくは真空中で２００℃で１０分程度加熱する熱処理を行うことで、正孔注入輸送層２１内に残存する極性溶媒や水を完全に除去することが好ましい。
【００４０】
このようして液状組成物２１ａから溶媒を蒸発させる際、図６（ａ）、（ｂ）を参照して説明したように、液状組成物２１ａに用いた溶媒の種類などよって、両端部１００ｅ、１００ｆから中央領域１００ｄに向かう流動（図４（ａ）に矢印Ｌ１１で示す）、あるいは中央領域１００ｄから両端部１００ｅ、１００ｆに向かう流動（図４（ａ）に矢印Ｌ１２で示す）が発生しようとする。ここで、矢印１１で示す流動は、中央領域１００ｄで正孔注入輸送層２１を過剰に厚くしようとする流動であり、矢印１２で示す流動は、中央領域１００ｄで正孔注入輸送層２１を過剰に薄くしようとする流動である。しかるに本形態では、画素領域１００の中央領域１００ｄと両端部１００ｅ、１００ｆとの間には液状組成物２１ａの流動を抑制する板状突起８１が形成されているため、矢印１１あるいは矢印１２で示す流動が抑制される。従って、正孔注入輸送層２１は表面が平坦に形成されることになる。
【００４１】
次に、発光層２２を形成するが、その前に正孔注入輸送層２１に対する表面改質工程を行うことがある。発光層形成工程では、正孔注入輸送層２１の再溶解を防止するために、発光層形成の際に用いる液状組成物の溶媒として、正孔注入輸送層２１に対して不溶な非極性溶媒を用いる。しかしながら、正孔注入輸送層２１は、非極性溶媒に対する親和性が低いため、非極性溶媒を含む液状組成物を正孔注入輸送層２１上に吐出しても、正孔注入輸送層２１と発光層２２とを密着させることができなくなるか、あるいは発光層２２を均一に塗布できないおそれがある。そこで、発光層形成工程の前に、発光層２２を形成する際に用いる液状組成物の非極性溶媒と同一溶媒またはこれに類する溶媒からなる表面改質材、例えば、シクロへキシルベンゼン、ジハイドロベンゾフラン、トリメチルベンゼン、テトラメチルベンゼン、トルエン、キシレン、あるいはそれらの混合物等をインクジェット法（液滴吐出法）、スピンコート法またはディップ法により正孔注入輸送層２１上に塗布した後に乾燥させる。このような表面改質工程を行うことで、正孔注入輸送層２１の表面が非極性溶媒になじみやすくなり、この後の工程で、発光層形成材料を含む液状組成物を正孔注入輸送層２１に均一に塗布することができる。なお、上記の表面改質材に、正孔輸送性材料を溶解した組成物をインクジェット法により正孔注入輸送層２１上に塗布して乾燥させても良い。
【００４２】
次に、発光層形成工程では、正孔注入輸送層形成液塗布工程と同様、図３を参照して説明した液滴吐出ヘッド３２２から発光層層形成材料を含む液状組成物を凹部１００ａ内に吐出する。このようにして吐出された液状組成物は、凹部１００ａ内に着弾し、凹部１００ａ内において、正孔注入輸送層２１の上層で広がる。このような液状組成物としては、ポリフルオレン誘導体、ポリフェニレン誘導体、ポリビニルカルバゾール、ポリチオフェン誘導体、またはこれらの高分子材料に、ペリレン系色素、クマリン系色素、ローダミン系色素、例えばルブレン、ペリレン、９、１０−ジフェニルアントラセン、テトラフェニルブタジエン、ナイルレッド、クマリン６、キナクリドン等をドープした発光層形成材料を非極性溶媒に配合したものを用いる。発光層形成材料としては、二重結合のπ電子がポリマー鎖上で非極在化しているπ共役系高分子材料が、導電性高分子でもあることから発光性能に優れるため、好適に用いられる。特に、その分子内にフルオレン骨格を有する化合物、すなわちポリフルオレン系化合物がより好適に用いられる。また、このような材料以外にも、例えば特開平１１−４０３５８号公報に示される有機ＥＬ素子用組成物、すなわち共役系高分子有機化合物の前駆体と、発光特性を変化させるための少なくとも１種の蛍光色素とを含んでなる有機ＥＬ素子用組成物も、発光層形成材料として使用可能である。また、非極性溶媒としては、正孔注入輸送層２１に対して不溶なものが好ましく、例えば、シクロへキシルベンゼン、ジハイドロベンゾフラン、トリメチルベンゼン、テトラメチルベンゼン等を用いることができる。このような非極性溶媒を発光層形成用の液状組成物に用いることにより、正孔注入輸送層２１を再溶解させることなく発光層形成用の液状組成物を塗布できる。
【００４３】
次に、発光層定着工程を行う。それには、吐出後の液状組成物を加熱、乾燥処理し、液状組成物に含まれる非極性溶媒を蒸発させ、発光層２２を定着させる。なお、上記の定着処理は、例えば、窒素雰囲気中、室温で圧力を１３３．３Ｐａ（１Ｔｏｒｒ）程度として５〜１０分行う。圧力が低すぎると液状組成物が突沸してしまうので好ましくない。また、温度を室温以上にすると、非極性溶媒の蒸発速度が高まり、発光層形成材料が隔壁５の壁面に多く付着してしまうので好ましくない。なお、その他の乾燥の手段としては、遠赤外線照射法、高温窒素ガス吹付法等を例示できる。
【００４４】
このようにして、正孔注入輸送層２１および発光層２２を形成した後は、発光層２２および隔壁５の上層に陰極層１２を形成した後、封止樹脂、封止基板、封止缶などで陰極層１２の表面を覆う。
【００４５】
（本形態の主な効果）
以上説明したように、本形態では、画素領域１００の中央領域１００ｄと両端部１００ｅ、１００ｆとの間には液状組成物２１ａの流動を抑制する板状突起８１が形成されているため、矢印１１あるいは矢印１２で示す流動が抑制される。従って、正孔注入輸送層２１は表面が平坦に形成されることになる。それ故、正孔注入輸送層２１の上に発光層２２も平坦に形成されるので、有機ＥＬ素子２の発光特性および信頼性を向上することができる。
【００４６】
（変形例）
図５（ａ）、（ｂ）、（ｃ）は各々、本発明が適用された別の有機ＥＬ装置の画素領域１つ分の平面図、図６（ａ）のＡ３−Ａ３′線に沿って画素領域を切断した様子を模式的に示す断面図、および図２（ａ）のＢ３−Ｂ３′線に沿って画素領域を切断した様子を模式的に示す断面図である。
【００４７】
上記実施の形態１では、画素領域１００の中央領域１００ｄと両端部１００ｅ、１００ｆとの間において液状組成物２１ａの流動を抑制する突起８として、板状突起８１を形成したが、図５（ａ）、（ｂ）、（ｃ）に示すように、画素領域１００の中央領域１００ｄと両端部１００ｅ、１００ｆとの間において液状組成物２１ａの流動を抑制する突起８として、互い離間する位置に複数の柱状突起８２を形成してもよい。ここで、柱状突起８２は、アクリル樹脂やポリイミド樹脂等、隔壁５と同一の樹脂材料で構成されている。本形態において、柱状突起８２と隔壁５と同時形成されたものである。このため、柱状突起８２は、隔壁５と同様、高さが０．１〜３．５μｍ程度である。
【００４８】
このように構成した場合も、柱状突起８２によって、膜厚ばらつきの原因となる矢印１１あるいは矢印１２で示す流動が抑制されるので、正孔注入輸送層２１は表面が平坦に形成されることになる。それ故、正孔注入輸送層２１の上に発光層２２も平坦に形成されるので、有機ＥＬ素子２の発光特性および信頼性を向上することができる。その他の構成は上記実施の形態と同様であるため、説明を省略する。
【００４９】
［他の実施の形態］
上記形態では、板状突起８１および柱状突起８２などの突起８を隔壁５と同時形成した例を示したが、その他の材料で突起８を形成してもよい。また、突起８に代えて、画素領域１００の中央領域１００ｄと両端部１００ｅ、１００ｆとの間に凹部を形成し、この凹部によって形成される段部によって、液状組成物２１ａの無駄な流動を抑制してもよい。
【００５０】
また、図１に示すように画素領域１００がマトリクス状に配置されている有機ＥＬ装置１を例に説明したが、複写機などの画像形成装置のラインヘッドに用いる有機ＥＬ装置１のように、画素領域１００がライン状に配列されているタイプに本発明を適用してもよい。
【図面の簡単な説明】
【００５１】
【図１】本発明が適用される有機ＥＬ装置の一例としてのアクティブマトリクス型の有機ＥＬ表示装置の電気的構成を示すブロック図である。
【図２】（ａ）、（ｂ）、（ｃ）は各々、本発明が適用された有機ＥＬ装置の画素領域１つ分の平面図、図２（ａ）のＡ１−Ａ１′線に沿って画素領域を切断した様子を模式的に示す断面図、および図２（ａ）のＢ１−Ｂ１′線に沿って画素領域を切断した様子を模式的に示す断面図である。
【図３】（ａ）、（ｂ）、（ｃ）は各々、本発明が適用される有機ＥＬ装置を製造する際に使用される液滴吐出ヘッドの内部構造を模式的に示す説明図、撓み振動モードの圧力発生素子の説明図、および縦振動モードの圧力発生素子の説明図である。
【図４】（ａ）、（ｂ）、（ｃ）は各々、本発明が適用された有機ＥＬ装置において、有機機能層を形成する前の状態におけるの画素領域１つ分の平面図、図４（ａ）のＡ２−Ａ２′線に沿って画素領域を切断した様子を模式的に示す断面図、および図４（ａ）のＢ２−Ｂ２′線に沿って画素領域を切断した様子を模式的に示す断面図である。
【図５】（ａ）、（ｂ）、（ｃ）は各々、本発明が適用された別の有機ＥＬ装置の画素領域１つ分の平面図、図６（ａ）のＡ３−Ａ３′線に沿って画素領域を切断した様子を模式的に示す断面図、および図２（ａ）のＢ３−Ｂ３′線に沿って画素領域を切断した様子を模式的に示す断面図である。
【図６】（ａ）、（ｂ）は各々、本発明が適用される有機ＥＬ装置を製造する際、有機機能層に膜厚むらが発生する理由を示す説明図である。
【符号の説明】
【００５２】
１・・有機ＥＬ装置、２・・有機ＥＬ素子、５・・隔壁、６・・絶縁層、８・・突起、１０・・基板、１１・・画素電極（第１の電極）、１２・・陰極（第２の電極）、２０・・有機機能層、２１・・正孔注入輸送層（有機機能層）、２２・・発光層（有機機能層）、８１・・板状突起、８２・・柱状突起、１００・・画素領域、１００ｄ・・画素領域の中央領域、１００ｅ、１００ｆ・・画素領域の端部
【図１】
2008243649.tif 000003
【図２】
2008243649.tif 000004
【図３】
2008243649.tif 000005
【図４】
2008243649.tif 000006
【図５】
2008243649.tif 000007
【図６】
2008243649.tif 000008